(57)【特許請求の範囲】
【請求項１】
少なくとも１枚の開閉扉とともに開口部の全幅を同一平面に閉じる吊戸形式の複数の壁パネルと、開口部の全幅に亘って設置する天井側のガイドレール、床側の副ガイドレールとを備えてなり、前記ガイドレールは、前記各壁パネルを横移動可能に吊下するランナ用の走行面を有するとともに、同一断面形状の全長の長さ方向の一部として前記開閉扉の位置に着脱可能な補助レールを備え、前記開閉扉の位置において前記補助レールを取り外すことにより前記壁パネルを着脱可能であり、前記開閉扉、壁パネルは、それぞれ遮音構造に形成し、前記壁パネルは、上下に駆動可能な上下のシールパッキンを有するとともに、前記下のシールパッキン用のスライドフレームの両端部にそれぞれ固定する下向きのガイドピンを有し、該ガイドピンは、下向きドーム状の先端が前記副ガイドレールに形成する上向きのガイド溝に進入して係合することを特徴とする建物の間仕切装置。
【請求項２】
少なくとも１枚の開閉扉とともに開口部の全幅を同一平面に閉じる吊戸形式の複数の壁パネルと、開口部の全幅に亘って設置する天井側のガイドレール、床側の副ガイドレールとを備えてなり、前記ガイドレールは、前記各壁パネルを横移動可能に吊下するランナ用の走行面を下部に有するとともに、前記開閉扉の位置において前記走行面を削除して前記壁パネル用の左右のランナを下方に個別に抜取り可能に形成し、前記ランナを抜き取り、戻し入れることにより前記壁パネルを着脱可能であり、前記開閉扉、壁パネルは、それぞれ遮音構造に形成し、前記壁パネルは、上下に駆動可能な上下のシールパッキンを有するとともに、前記下のシールパッキン用のスライドフレームの両端部にそれぞれ固定する下向きのガイドピンを有し、該ガイドピンは、前記副ガイドレールに形成する上向きのガイド溝に進入して係合することを特徴とする建物の間仕切装置。
【請求項３】
前記副ガイドレールは、床に埋設することを特徴とする請求項１または請求項２記載の建物の間仕切装置。
【発明の詳細な説明】
【０００１】
【発明の属する技術分野】
この発明は、必要に応じて大きな開口部を全面開放し、しかも十分な遮音性能を容易に実現することができる建物の間仕切装置に関する。
【０００２】
【従来の技術】
建物の大きな開口部を必要に応じて全面開放するために、取外し可能な壁パネルを使用することがある（たとえば実開昭６３−３７７１１号公報）。
【０００３】
このものは、開口部に組み込む開閉扉と、複数の壁パネルとを組み合わせて構成され、開閉扉は、ヒンジを介して開閉自在であり、壁パネルは、床側のレール上を転動する走行ローラを介して引戸形式に形成されている。なお、壁パネルは、開閉扉の位置においてレール上にセットして横移動させることにより、開閉扉とともに開口部の全幅を閉じることができ、開閉扉の位置にまで移動させて取り外すことにより、開口部を全面開放させることができる。
【０００４】
【発明が解決しようとする課題】
かかる従来技術によるときは、壁パネルは、走行ローラを下部に有する引戸形式であるから、大形の走行ローラを採用することが難しく、大重量の遮音構造に形成することが困難であるという問題があった。
【０００５】
そこで、この発明の目的は、かかる従来技術の問題に鑑み、吊戸形式の壁パネルとガイドレールとを組み合わせることによって、十分な遮音性能を容易に実現することができる建物の間仕切装置を提供することにある。
【０００６】
【課題を解決するための手段】
かかる目的を達成するための請求項１の発明の構成は、少なくとも１枚の開閉扉とともに開口部の全幅を同一平面に閉じる吊戸形式の複数の壁パネルと、開口部の全幅に亘って設置する天井側のガイドレール、床側の副ガイドレールとを備えてなり、ガイドレールは、各壁パネルを横移動可能に吊下するランナ用の走行面を有するとともに、同一断面形状の全長の長さ方向の一部として開閉扉の位置に着脱可能な補助レールを備え、開閉扉の位置において補助レールを取り外すことにより壁パネルを着脱可能であり、開閉扉、壁パネルは、それぞれ遮音構造に形成し、壁パネルは、上下に駆動可能な上下のシールパッキンを有するとともに、下のシールパッキン用のスライドフレームの両端部にそれぞれ固定する下向きのガイドピンを有し、ガイドピンは、下向きドーム状の先端が副ガイドレールに形成する上向きのガイド溝に進入して係合することをその要旨とする。
【０００７】
請求項２の発明の構成は、少なくとも１枚の開閉扉とともに開口部の全幅を同一平面に閉じる吊戸形式の複数の壁パネルと、開口部の全幅に亘って設置する天井側のガイドレール、床側の副ガイドレールとを備えてなり、ガイドレールは、各壁パネルを横移動可能に吊下するランナ用の走行面を下部に有するとともに、開閉扉の位置において走行面を削除して壁パネル用の左右のランナを下方に個別に抜取り可能に形成し、ランナを抜き取り、戻し入れることにより壁パネルを着脱可能であり、開閉扉、壁パネルは、それぞれ遮音構造に形成し、壁パネルは、上下に駆動可能な上下のシールパッキンを有するとともに、下のシールパッキン用のスライドフレームの両端部にそれぞれ固定する下向きのガイドピンを有し、ガイドピンは、副ガイドレールに形成する上向きのガイド溝に進入して係合することをその要旨とする。
【０００９】
さらに、副ガイドレールは、床に埋設してもよい。
【００１１】
【作用】
かかる発明の構成によるときは、吊戸形式の壁パネルは、大形のランナを介してガイドレールと組み合わせることによって、プラスタボードやグラスウール等の吸音材、断熱吸音材を付設して大重量の遮音構造に形成しても、軽快に開閉操作可能であり、何ら支障がない。また、壁パネルは、開閉扉の位置にまで横移動させてガイドレールから順次取り外すことにより、開口部の全幅を開放して大形の機器等を容易に搬出入することができる。
【００１２】
開閉扉の位置に着脱可能な補助レールを設ければ、補助レールを取り外すことにより、開閉扉の位置において壁パネルを容易に取り外すことができる。
【００１３】
壁パネルを遮音構造に形成すれば、壁パネルを閉じることにより、良好な遮音性能を実現することができる。なお、このとき、開閉扉も、同様の遮音構造に形成するものとする。
【００１４】
上下に駆動可能なシールパッキンを壁パネルに設けるときは、シールパッキンは、上下に駆動して開口部の上下面に密接させ、一層良好な遮音性能を実現することができる。
【００１５】
壁パネルを開閉扉と同一幅に形成すれば、開閉扉の位置において取り外す壁パネルの枚数を最少にすることができる上、開口部を閉じたときの体裁を良好にすることができる。ただし、壁パネルは、開閉扉の幅と厳密に同一幅にすることは必要でなく、開閉扉の位置において取外し可能な最大幅に設定すればよい。
【００１６】
開口部の両端部に開閉扉を設ければ、開閉扉を介して開口部の両端部に小さな出入口を設けることができ、使い勝手を一層良好にすることができる。
【００１７】
開閉扉のヒンジを壁側に設ければ、壁パネルを外し、開閉扉を開放することにより、開口部を確実に全面開放することができる。
【００１８】
【発明の実施の形態】
以下、図面を以って発明の実施の形態を説明する。
【００１９】
建物の間仕切装置は、開閉扉１０、１０、吊戸形式の複数の壁パネル２０、２０…、ガイドレール３０を組み合わせてなる（図１、図２）。ただし、図２（Ｂ）は、同図（Ａ）の平面説明図である。
【００２０】
開閉扉１０、１０、壁パネル２０、２０…は、天井側のガイドレール３０、床Ｆ側の副ガイドレール３５とともに、壁Ｗの開口部Ｗa に組み込まれている。開閉扉１０、１０は、開口部Ｗa の両端部に配置されており、壁パネル２０、２０…とともに、開口部Ｗa の全幅を閉じることができる。なお、各壁パネル２０は、開閉扉１０とほぼ同一幅に形成されている。また、開口部Ｗa には、上部の横枠４１、左右の縦枠４２、４２が門形に組み込まれている。
【００２１】
横枠４１は、フレーム材４１ａ、補強材４１ｂ、カバー材４１ｃを組み合わせて形成されており（図１、図３）、補強材４１ｂには、所定ピッチごとに補強板４１ｂ1 が付設されている。ガイドレール３０は、同一断面形状のレール本体３１、補助レール３２、スペーサレール３３を直線状に組み合わせ、開口部Ｗa の全幅に亘って、横枠４１の補強材４１ｂの下面に下向きに敷設されている。レール本体３１、補助レール３２、スペーサレール３３は、それぞれ走行面３１ａ、３１ａを下部に有するチャンネル材であり、補助レール３２は、一方の開閉扉１０の位置において、止めねじ３２ａ、３２ａ…、スペーサ３２ｂ、３２ｂ…を介して補強材４１ｂの下面に着脱自在に装着されている（図１、図４）。ガイドレール３０、横枠４１には、シールパッキン３４が全長に亘って付設されており、シールパッキン３４は、ブラケット３４ａ、３４ｂ、保持材３４ｃを介し、室内側に向けて保持されている。
【００２２】
副ガイドレール３５は、床Ｆに埋設するベースフレーム３７上に敷設されている。副ガイドレール３５は、左右のフレーム材３５ａ、３５ａ、中間のガイド材３５ｂ、室外側の表面材３５ｃ、下部の補強材３５ｄを組み合わせ、フレーム材３５ａ、３５ａの間には、ガイド材３５ｂを介して上向きのガイド溝３５ｅが形成されている。副ガイドレール３５には、シールパッキン３６が室内側に向けて付設されている。
【００２３】
開閉扉１０、１０は、それぞれヒンジ１９、１９…を介して縦枠４２に開閉自在に装着されている（図１、図５）。ただし、ヒンジ１９、１９…は、縦枠４２の室内側に連結されている。また、縦枠４２には、ブラケット４３ａ、保持材４３ｂを介してシールパッキン４３が室内側に向けて付設されている。
【００２４】
開閉扉１０は、枠状に組み合わせるフレーム材１１、１１…の両面に表面材１３付きのプラスタボード等の吸音材１２、１２を付設し（図４、図５）、フレーム材１１、１１…によって囲まれる範囲には、吸音材１２、１２の間にグラスウール等の図示しない断熱吸音材を介装することにより、全体として遮音構造に形成されている。なお、ヒンジ１９、１９…は、室内側の表面材１３によって隠蔽されている。
【００２５】
開閉扉１０の上端面、ヒンジ１９、１９…側の側端面には、それぞれフレーム材１１に付設する保持材１４ａを介してシールパッキン１４が付設されている。また、開閉扉１０は、室内側の表面材１３をヒンジ１９、１９…の反対側に延長して大小のシールパッキン１５ａ、１５ｂ、１５ｂが複列に付設されている。シールパッキン１５ｂ、１５ｂは、開閉扉１０の側端面を閉鎖するカバー材１７の屈曲部分に保持されており、シールパッキン１５ｂは、表面材１３の先端部に付設されている。また、開閉扉１０には、室内側の表面材１３の下端に角筒状のシールパッキン１６が室外側に向けて付設されている。
【００２６】
開閉扉１０には、ロック機構１８が組み込まれている。ロック機構１８は、隣接する壁パネル２０側のカバー材２７ｃに係合するロック片１８ｂと、ロック片１８ｂを室内側から回転操作するハンドル１８ａとを備えている。また、ロック機構１８は、開閉蓋１３ａ付きの開口部１２ａを介し、室外側からも操作することができる。
【００２７】
各壁パネル２０は、左右のランナ２８、２８を介し、ガイドレール３０から横移動可能に吊下されている（図１、図３）。各ランナ２８は、ガイドレール３０の走行面３１ａ、３１ａ上を転動するローラ２８ｂ、２８ｂ…を有し、吊りボルト２８ｃ、吊りロッド２１ａを介し、壁パネル２０を吊下している。
【００２８】
各壁パネル２０は、フレーム材２１、２１…を枠状に組み合わせ（図３、図５）、フレーム材２１、２１…の両面に表面材２３付きの吸音材２２、２２を付設し、吸音材２２、２２の間に図示しない断熱吸音材を介装して遮音構造に形成されている。上部のフレーム材２１の両端部には、ランナ２８の吊りボルト２８ｃにねじ連結する吊りロッド２１ａが立設されている。
【００２９】
壁パネル２０には、それぞれ共通のスライドフレーム２４ａを介し、各一対のシールパッキン２４、２４…が上面、下面に付設されている。なお、各スライドフレーム２４ａは、対応するフレーム材２１の上面または下面に付設するガイドフレーム２４ｂに対し、上下動自在に収納されている。また、下部のスライドフレーム２４ａの両端部には、それぞれ補強材２５ａを介してガイドピン２５が下向きにねじ止めされており、ガイドピン２５の先端には、副ガイドレール３５のガイド溝３５ｅに進入して係合する摺動部材２５ｃが付設されている。
【００３０】
上下のスライドフレーム２４ａ、２４ａは、連結ロッド２６ｅ、２６ｅを介して共通の駆動機構２６に連結されている（図６（Ａ））。連結ロッド２６ｅ、２６ｅは、壁パネル２０の室内側から操作する操作軸２６ａ付きのギヤボックス２６ｂを介し、それぞれ同時に上下に駆動することができる。また、連結ロッド２６ｅ、２６ｅは、それぞれ補強材２６ｃを介してスライドフレーム２４ａに連結されている（同図（Ｂ）、（Ｃ））。なお、壁パネル２０の室内側には、操作軸２６ａの操作用の開閉蓋２３ａ付きの開口部が形成されている（図１）。
【００３１】
そこで、駆動機構２６は、操作軸２６ａを正方向に回転させることにより、連結ロッド２６ｅ、２６ｅを介して上部のスライドフレーム２４ａを上方に駆動するとともに下部のスライドフレーム２４ａを下方に駆動し、上下のシールパッキン２４、２４…を上方のガイドレール３０、下方の副ガイドレール３５に同時に密着させることができる（図６（Ｂ）、（Ｃ））。また、駆動機構２６は、操作軸２６ａを逆方向に回転させることにより、シールパッキン２４、２４…をガイドレール３０、副ガイドレール３５から離すことができる（図３）。すなわち、上下のシールパッキン２４、２４…は、それぞれ駆動機構２６を介して上下に駆動可能である。
【００３２】
壁パネル２０の各側端面には、シール溝２７ｂを有する召合せ部材２７ａが付設されている（図５）。相対向する召合せ部材２７ａ、２７ａは、一方のシール溝２７ｂに装着するシールパッキン２７を介してシールされ、それぞれに形成するカバー部２７ａ1 、２７ａ1 を介して隙間を閉じることができる。なお、各開閉扉１０に対向する召合せ部材２７ａには、カバー材２７ｃ、２７ｃが付設されており、室外側のカバー材２７ｃには、目隠し用のクッション材２７ｄが付設されている。
【００３３】
かかる間仕切装置は、次のようにして機能する。
【００３４】
壁パネル２０、２０…は、開閉扉１０、１０とともに開口部Ｗa の全幅を閉じることができる（図２）。このとき、各壁パネル２０は、召合せ部分がシールパッキン２７を介してシールされ、上下のシールパッキン２４、２４…、３４、３６とともに全周をシールすることにより、良好な遮音性能を実現することができる。また、各開閉扉１０は、開口部Ｗa を部分的に開閉することができ、閉鎖時の開閉扉１０は、上下のシールパッキン１４、３４、１６、３６、左右のシールパッキン１４、１５ａ、１５ｂを介して全周をシールすることができる。
【００３５】
開口部Ｗa を介して大形の機器等を搬出入するときは、壁パネル２０、２０…の一部または全部を取り外す。すなわち、一方の開閉扉１０を開き、止めねじ３２ａ、３２ａ…を外して補助レール３２を横枠４１から取り外し（図１）、壁パネル２０を開閉扉１０の位置にまで横移動させてランナ２８、２８をレール本体３１から抜き取り、上部を室内側に僅かに傾けながら上方に引き上げてガイドピン２５、２５を副ガイドレール３５から外し（図７の矢印Ｋ1 方向）、壁パネル２０をガイドレール３０、副ガイドレール３５から取り外すことができる。なお、壁パネル２０は、駆動機構２６を介して上下のシールパッキン２４、２４…を壁パネル２０内に退避させることにより（図３）、容易に横移動させることができる。このようにして、必要枚数の壁パネル２０、２０…を順次取り外せばよい。
【００３６】
また、壁パネル２０、２０…を開口部Ｗa に戻すときは、取外しの手順と逆の手順によればよい。ただし、開閉扉１０、１０に隣接する壁パネル２０、２０は、それぞれ図示しないロック部材を介して所定位置に正しくロックするものとする。すべての壁パネル２０、２０…の取付けが完了したら、補助レール３２をスペーサレール３３、レール本体３１の間に取り付け、元の状態に復元することができる。
【００３７】
【他の実施の形態】
ガイドレール３０は、開閉扉１０の位置において走行面３１ａ、３１ａを削除し、壁パネル２０のランナ２８、２８を抜き取る開口部３１ｅ、３１ｅを下面に形成してもよい（図８（Ａ）、（Ｂ））。ただし、図８（Ｂ）は、同図（Ａ）のＡ−Ａ線矢視相当拡大断面図であり、同図（Ｃ）は、図３相当の要部断面図である。なお、このときの壁パネル２０は、下部のシールパッキン２４、２４を上下動させる駆動機構２６の昇降ストロークを大きくし、ガイドピン２５、２５を副ガイドレール３５のガイド溝３５ｅから退出させ得るものとする（同図（Ｃ）の二点鎖線）。
【００３８】
すなわち、壁パネル２０は、下部のシールパッキン２４、２４を上昇させるとともにガイドピン２５、２５をガイド溝３５ｅから退出させた上、開閉扉１０の位置に横移動させて下部を室内側に引き出すようにして僅かに傾け（図９の実線）、開口部３１ｅ、３１ｅを介してランナ２８、２８を下方に抜き取ることにより（同図の二点鎖線）、ガイドレール３０、副ガイドレール３５から取り外すことができる。また、壁パネル２０をガイドレール３０、副ガイドレール３５にセットするときは、この逆手順によればよい。
【００３９】
以上の説明において、壁パネル２０、２０…の枚数は、開口部Ｗa の全幅によって任意に増減してもよく、ガイドレール３０は、各開閉扉１０の位置において、壁パネル２０を着脱可能としてもよい。ただし、開閉扉１０は、片側の１枚のみであってもよい。さらに、副ガイドレール３５は、全体を床Ｆに埋設し、室内側と室外側との境界に段差を形成しないようにしてもよい。なお、このときの開閉扉１０は、たとえば取外し可能な扉枠を介して開口部Ｗa に装着することができる。
【００４０】
【発明の効果】
以上説明したように、この発明によれば、開閉扉とともに開口部の全幅を閉じる吊戸形式の壁パネルと、壁パネルを着脱し得る天井側のガイドレールとを組み合わせることによって、壁パネルは、ガイドレールから横移動自在に吊下して開口部を閉じることができ、開閉扉の位置にまで移動させてガイドレールから取り外し、開口部を全面開放することができる上、大形のランナを付設して大重量の遮音構造に形成しても何ら支障がなく、十分な遮音性能を容易に実現することができるという優れた効果がある。
【図面の簡単な説明】
【図１】  要部拡大斜視説明図
【図２】  全体構成説明図
【図３】  図２のＸ−Ｘ線矢視相当拡大断面図
【図４】  図２のＹ−Ｙ線矢視相当拡大断面図
【図５】  図２のＺ−Ｚ線矢視相当拡大断面図
【図６】  要部拡大説明図
【図７】  動作説明図
【図８】  他の実施の形態を示す要部拡大説明図
【図９】  図８の動作説明図
【符号の説明】
Ｗ…壁
Ｗa …開口部
１０…開閉扉
１９…ヒンジ
２０…壁パネル
２４…シールパッキン
３０…ガイドレール
３２…補助レール
【図１】
0004389092.tif 000002
【図２】
0004389092.tif 000003
【図３】
0004389092.tif 000004
【図４】
0004389092.tif 000005
【図５】
0004389092.tif 000006
【図６】
0004389092.tif 000007
【図７】
0004389092.tif 000008
【図８】
0004389092.tif 000009
【図９】
0004389092.tif 000010